(57)【要約】  本発明の表面欠陥検査装置および表面欠陥検査方法は、被検査物の被検査面に照明光を照射して前記被検査面を撮像した画像に基づいて前記被検査面の欠陥を検出する装置および方法であって、明領域と暗領域との組を少なくとも１つ形成して前記照明光を照射し、予め定義された欠陥の視認性の程度に応じて前記明領域の幅に調整する。
2018221005.tif 000002
【特許請求の範囲】
【請求項１】
被検査物の被検査面に照明光を照射して前記被検査面を撮像した画像に基づいて前記被検査面の欠陥を検出する表面欠陥検査装置であって、
明領域と暗領域との組を少なくとも１つ形成して前記照明光を照射する照明部と、
予め定義された欠陥の視認性の程度に応じて前記明領域の幅に調整する明領域調整部とを備える、
表面欠陥検査装置。
【請求項２】
前記明領域の幅を前記欠陥の視認性の程度に対応付けて対応関係情報として記憶する対応関係情報記憶部と、
前記欠陥の視認性の程度の入力を受け付ける入力部とをさらに備え、
前記明領域調整部は、前記対応関係情報記憶部に記憶された前記対応関係情報から、前記入力部で受け付けた前記欠陥の視認性の程度に対応する前記明領域の幅を決定し、前記決定した前記明領域の幅に調整する、
請求項１に記載の表面欠陥検査装置。
【請求項３】
前記対応関係情報記憶部は、前記明領域の幅を前記被検査物の種類にさらに対応付けて前記対応関係情報として記憶し、
前記入力部は、前記被検査物の種類の入力をさらに受け付け、
前記明領域調整部は、前記対応関係情報記憶部に記憶された前記対応関係情報から、前記入力部で受け付けた前記欠陥の視認性の程度および前記被検査物の種類に対応する前記明領域の幅を決定し、前記決定した前記明領域の幅に調整する、
請求項２に記載の表面欠陥検査装置。
【請求項４】
前記被検査物は、外装塗装された車両であり、
前記被検査物の種類は、前記車両のクラス、前記車両の仕向地および前記車両の部位のうちの少なくとも１つで分類されている、
請求項３に記載の表面欠陥検査装置。
【請求項５】
被検査物の被検査面に照明光を照射して前記被検査面を撮像した画像に基づいて前記被検査面の欠陥を検出する表面欠陥検査方法であって、
予め定義された欠陥の視認性の程度に応じて明領域の幅に調整する明領域調整工程と、
前記明領域調整工程で調整された幅の明領域と暗領域との組を少なくとも１つ形成して前記照明光を照射する照明工程とを備える、
表面欠陥検査方法。
【発明の詳細な説明】
【技術分野】
【０００１】
本発明は、表面の欠陥を検出する表面欠陥検査装置および表面欠陥検査方法に関する。
【背景技術】
【０００２】
従来、車両のボディーにおける塗装表面の欠陥を画像処理によって検出する表面欠陥検査装置が知られており、例えば、特許文献１等に開示されている。前記欠陥は、例えばいわゆる「ブツ」、「ダレ」および「ハジキ」等と呼称される塗装面における凹凸等である。【０００３】
この特許文献１に開示された表面欠陥検査装置は、被検査体の被検査面に明暗パターンの光を照射し、前記被検査面からの反射光に基づいて受光画像を作成し、この受光画像に基づいて被検査面上の欠陥を検査する装置である。【０００４】
前記特許文献１のように、光が照明された被検査面を撮像することによって得られた画像から欠陥を検出する場合、前記欠陥が無ければ撮像部へ向かう反射光が前記欠陥によって撮像部へ向かう方向とは異なる方向に反射されるため、前記欠陥は、画像上では、暗く写る。このため、画像処理によって前記画像における暗い部分が抽出され、前記欠陥が検出される。一方、効率化の観点から、一度に検査する面積を広げることが望まれる。このため、幅の広い光で被検査面が照明されることになる。このような幅の広い光で被検査面が照明されると、実際には欠陥が生じているにもかかわらず、前記欠陥が画像上で暗く写らず、前記欠陥が検出し難くなる場合がある。これは、前記欠陥に入射される光の入射角が、相対的に幅の狭い光が前記欠陥に照明される場合に較べて多様となるため、前記欠陥から撮像部へ向かう反射光が増加するためである。
【先行技術文献】
【特許文献】
【０００５】
【特許文献１】特開平９−１８４７１３号公報
【発明の概要】
【０００６】
本発明は、上述の事情に鑑みて為された発明であり、その目的は、欠陥検出の精度を少なくとも維持しつつ、効率化を図ることができる表面欠陥検査装置および表面欠陥検査方法を提供することである。
【０００７】
上述した目的を実現するために、本発明の一側面を反映した表面欠陥検査装置および表面欠陥検査方法は、被検査物の被検査面に照明光を照射して前記被検査面を撮像した画像に基づいて前記被検査面の欠陥を検出する装置および方法であって、明領域と暗領域との組を少なくとも１つ形成して前記照明光を照射し、予め定義された欠陥の視認性の程度に応じて前記明領域の幅に調整する。
【０００８】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【０００９】
【図１】実施形態における表面欠陥検査装置の構成を示すブロック図である。
【図２】前記表面欠陥検査装置の構成を示す概略外観模式図である。
【図３】前記表面欠陥検査装置における第１態様の照明部およびその照明パターンの一例を説明するための図である。
【図４】前記表面欠陥検査装置に記憶される第１態様の対応関係情報テーブルを示す図である。
【図５】欠陥の視認性の程度と明領域の幅との関係を説明するための図である。
【図６】前記表面欠陥検査装置の動作を示すフローチャートである。
【図７】図６に示すフローチャートにおける欠陥の検出処理を説明するための図である。
【図８】図７に示す欠陥候補の検出処理を説明するための図である。
【図９】図７に示す膨張、縮小の処理を説明するための図である。
【図１０】前記表面欠陥検査装置における第２態様の照明部およびその照明パターンの一例を説明するための図である。
【図１１】前記表面欠陥検査装置に記憶される第２態様の対応関係情報テーブルを示す図である。
【発明を実施するための形態】
【００１０】
以下、本発明にかかる実施の一形態を図面に基づいて説明する。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１１】
本実施形態における表面欠陥検査装置は、被検査物Ｏｂの被検査面に照明光を照射して前記被検査面を撮像した画像に基づいて前記被検査面の欠陥を検出する装置であって、明領域と暗領域との組を少なくとも１つ形成して前記照明光を照射する照明部と、予め定義された欠陥の視認性の程度に応じて前記明領域の幅に調整する明領域調整部とを備える。このような表面欠陥検査装置およびこれに実装された表面欠陥検査方法は、予め定義された欠陥の視認性の程度に応じて照明光における明領域の幅に調整するので、欠陥検出の精度を少なくとも維持しつつ、効率化を図ることができる。以下、このような表面欠陥検査装置およびこれに実装された表面欠陥検査方法について、より具体的に説明する。
【００１２】
図１は、実施形態における表面欠陥検査装置の構成を示すブロック図である。図２は、前記表面欠陥検査装置の構成を示す概略外観模式図である。図３は、前記表面欠陥検査装置における第１態様の照明部およびその照明パターンの一例を説明するための図である。図３Ａは、第１照明パターンで照明光を放射している照明部１ａ−１（１ａ−２）を示し、図３Ｂは、第２照明パターンで照明光を放射している照明部１ａ−１（１ａ−２）を示す。図４は、前記表面欠陥検査装置に記憶される第１態様の対応関係情報テーブルを示す図である。図５は、欠陥の視認性の程度と明領域の幅との関係を説明するための図である。図５Ａは、欠陥の視認性の程度に対し明領域の幅が適当な場合を示し、図５Ｂは、欠陥の視認性の程度に対し明領域の幅が不適当な場合を示す。
【００１３】
実施形態における表面欠陥検査装置Ｄは、図１および図２に示すように、例えば、照明部１ａと、撮像部２と、装置本体ＰＣとを備える。装置本体ＰＣは、制御処理部３と、入力部４と、出力部５と、インターフェース部（ＩＦ部）６と、記憶部７とを備える。
【００１４】
照明部１ａは、装置本体ＰＣの制御処理部３に接続され、制御処理部３の制御に従って、明領域と暗領域との組を少なくとも１つ形成して照明光を照射する装置である。本実施形態では、照明部１ａは、図２に示すように、撮像部２を挟んで互いに並置された２個の第１および第２照明部１ａ−１、１ａ−２を備える。第１および第２照明部１ａ−１、１ａ−２は、それぞれ、例えば、光を放射する光源部と、明領域と暗領域との組を少なくとも１つ形成して前記光源部から放射された光を前記照明光として照明する明暗領域形成部とを備えて構成される。このような第１および第２照明部１ａ−１、１ａ−２は、それぞれ、図３に示すように、例えば、高輝度液晶表示装置等の高輝度ディスプレイを備えて構成される。照明部１ａが高輝度液晶表示装置である場合では、光を放射する、そのバックライトが、前記光源部の一例に相当し、前記バックライトにおける光放射面の前方に配置され、バックライトからの光を透過させるか遮光するかを画素ごとに制御する、その液晶パネルが前記明暗領域形成部の一例に相当する。
【００１５】
撮像部２は、装置本体ＰＣの制御処理部３に接続され、制御処理部３の制御に従って、被検査物Ｏｂの被検査面を撮像し、画像を生成する装置である。欠陥は、後述するように、画像を画素値で画像処理することによって検出するので、撮像部２は、例えば、カラーで画像を生成するカメラを備えて構成されて良く、モノクロで画像を生成するカメラを備えて構成されて良い。
【００１６】
入力部４は、装置本体ＰＣの制御処理部３に接続され、例えば、検査の開始を指示するコマンド等の各種コマンド、および、例えば欠陥の視認性の程度等の前記検査を行う上で必要な各種データを表面欠陥検査装置Ｄに入力する装置であり、例えば、所定の機能を割り付けられた複数の入力スイッチ、キーボードおよびマウス等である。出力部５は、装置本体ＰＣの制御処理部３に接続され、制御処理部３の制御に従って、入力部４から入力されたコマンドやデータ、および、当該表面欠陥検査装置Ｄによって求められた検出結果を出力する装置であり、例えばＣＲＴディスプレイ、ＬＣＤ（液晶表示装置）および有機ＥＬディスプレイ等の表示装置やプリンタ等の印刷装置等である。
【００１７】
なお、入力部４および出力部５からタッチパネルが構成されてもよい。このタッチパネルを構成する場合において、入力部４は、例えば抵抗膜方式や静電容量方式等の操作位置を検出して入力する位置入力装置であり、出力部５は、表示装置である。このタッチパネルでは、表示装置の表示面上に位置入力装置が設けられ、表示装置に入力可能な１または複数の入力内容の候補が表示され、ユーザが、入力したい入力内容を表示した表示位置を触れると、位置入力装置によってその位置が検出され、検出された位置に表示された表示内容がユーザの操作入力内容として表面欠陥検査装置Ｄに入力される。このようなタッチパネルでは、ユーザは、入力操作を直感的に理解し易いので、ユーザにとって取り扱い易い表面欠陥検査装置Ｄが提供される。
【００１８】
ＩＦ部６は、装置本体ＰＣの制御処理部３に接続され、制御処理部３の制御に従って、外部機器との間でデータの入出力を行う回路であり、例えば、シリアル通信方式であるＲＳ−２３２Ｃのインターフェース回路、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。ＩＦ部６は、外部機器との間で通信を行う回路であり、例えば、データ通信カードや、ＩＥＥＥ８０２．１１規格等に従った通信インターフェース回路等であっても良い。
【００１９】
記憶部７は、装置本体ＰＣの制御処理部３に接続され、制御処理部３の制御に従って、各種の所定のプログラムおよび各種の所定のデータを記憶する回路である。
【００２０】
前記各種の所定のプログラムには、制御プログラム、明領域調整プログラムおよび欠陥検出プログラム等が含まれる。前記制御プログラムは、表面欠陥検査装置Ｄの各部１ａ、２、４〜７を当該各部の機能に応じてそれぞれ制御するプログラムである。前記明領域調整プログラムは、予め定義された欠陥の視認性の程度に応じて前記明領域の幅に調整するプログラムである。前記欠陥検出プログラムは、撮像部２によって生成された画像に基づいて被検査物Ｏｂの被検査面に生じている欠陥を検出するプログラムである。前記各種の所定のデータには、例えば、対応関係情報、撮像部２で生成された画像、後述のように欠陥を検出する画像処理で生成される各種の中間画像等の、各プログラムを実行する上で必要なデータ等が含まれる。
【００２１】
記憶部７は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。記憶部７は、前記所定のプログラムの実行中に生じるデータ等を記憶するいわゆる制御処理部３のワーキングメモリとなるＲＡＭ（Ｒａｎｄｏｍ  Ａｃｃｅｓｓ  Ｍｅｍｏｒｙ）等を含む。そして、記憶部５は、前記対応関係情報を記憶するために、対応関係情報記憶部７１を機能的に備える。
【００２２】
対応関係情報記憶部７１は、予め定義された欠陥の視認性の程度に応じた前記明領域の幅を表す情報を記憶するものであり、本実施形態では、前記明領域の幅を前記欠陥の視認性の程度に対応付けて対応関係情報として記憶する。前記欠陥の視認性の程度とは、欠陥の見え易さの度合いであり、前記欠陥の視認性の程度は、例えば、予め適宜に設定されたグレードレベルで表され、本実施形態では、グレードＩ、グレードＩＩ、グレードＩＩＩ、・・・の順で順次に前記欠陥の視認性の程度が高くなる。
【００２３】
本実施形態では、光が照明された被検査面を撮像することによって得られた画像から欠陥が検出される。このような検出手法では、例えば、図５Ａに示すように、被検査物Ｏｂの被検査面に欠陥ＤＥが無ければカメラへ向かう反射光が前記欠陥ＤＥによって前記カメラへ向かう方向とは異なる方向に反射されるため、前記欠陥ＤＥは、画像ＳＰ１上では、欠陥画像ＰＤＥとして暗く写る。このため、画像処理によって前記画像ＳＰ１における暗い部分が抽出され、前記欠陥ＤＥが検出できる。ところが、効率化の観点から、例えば、図５Ｂに示すように、相対的に幅ＬＡｂの広い光で前記被検査面が照明されると、実際には前記欠陥ＤＥが生じているにもかかわらず、前記欠陥ＤＥに入射される光の入射角が、相対的に幅ＬＡａの狭い光が前記欠陥ＤＥに照明される場合に較べて多様となるので、前記欠陥ＤＥからカメラへ向かう反射光が増加するため、カメラで見え難くなり、前記欠陥ＤＥが画像ＳＰ２上で暗く写らず、前記欠陥ＤＥが検出し難くなる。このように欠陥ＤＥの視認性の程度と照明光（明領域）の幅ＬＡとは、相関関係があり、前記欠陥ＤＥの視認性の程度に応じた適当な照明光（明領域）の幅ＬＡが存在する。
【００２４】
なお、図５Ａにおいて、画像ＳＰ１における明画像ＰＬＡａは、前記被検査面の、幅ＬＡａの明領域を持つ照明部によって照明された部分の画像であり、画像ＳＰ１における暗画像ＰＤＡａ−１、ＰＤＡａ−２は、前記被検査面の、前記照明部によって照明された部分を除く残余の部分の画像であり、黒点ＰＤＥは、画像ＳＰ１に写り込んだ欠陥ＤＥの画像であり、図５Ｂにおいて、画像ＳＰ２における明画像ＰＬＡｂは、前記被検査面の、幅ＬＡａより広い幅ＬＡｂの明領域を持つ照明部によって照明された部分の画像であり、画像ＳＰ２における暗画像ＰＤＡｂ−１、ＰＤＡｂ−２は、前記被検査面の、前記照明部によって照明された部分を除く残余の部分の画像である。
【００２５】
前記欠陥ＤＥの視認性の程度は、前記欠陥ＤＥの大きさ（面積）、前記被検査面を基準に前記欠陥ＤＥにおける凸部の高さ、前記欠陥ＤＥにおける凹部の深さまたは前記欠陥ＤＥにおける凹凸部の高低差、および、前記欠陥ＤＥが生じている層の色（透明層に生じた凹凸の欠陥ＤＥは目立ち難いが、有色層に生じた凹凸の欠陥ＤＥは目立ち易い）等に応じて異なる。例えば、前記欠陥ＤＥの大きさ（面積）が大きい（広い）ほど、前記欠陥ＤＥの視認性の程度は、高くなり、これに応じて照明光（明領域）の幅ＬＡは、より広くできる。一方、逆に、前記欠陥ＤＥの大きさ（面積）が小さい（狭い）ほど、前記欠陥ＤＥの視認性の程度は、低くなり、これに応じて照明光（明領域）の幅ＬＡは、より狭くする必要がある。また例えば、前記欠陥ＤＥの高さ、深さまたは高低差が大きいほど、前記欠陥ＤＥの視認性の程度は、高くなり、これに応じて照明光（明領域）の幅ＬＡは、より広くできる。一方、逆に、前記欠陥ＤＥの高さ、深さまたは高低差が小さい（狭い）ほど、前記欠陥ＤＥの視認性の程度は、低くなり、これに応じて照明光（明領域）の幅ＬＡは、より狭くする必要がある。また例えば、有色層に生じた凹凸の欠陥ＤＥは、目立ち易いので、これに応じて照明光（明領域）の幅ＬＡは、より広くできる。一方、透明層に生じた凹凸の欠陥ＤＥは、目立ち難いので、これに応じて照明光（明領域）の幅ＬＡは、より狭くする必要がある。このような観点から、前記欠陥ＤＥの視認性の程度は、複数のグレードに適宜に分類され（グレード分けされ）、これら複数のグレードそれぞれに応じた照明光（明領域）の各幅ＬＡが例えば複数のサンプルを用いた結果から適宜に設定される。
【００２６】
このような前記欠陥の視認性の程度と前記明領域の幅との対応関係を表す対応関係情報は、本実施形態では、テーブル形式で対応関係情報記憶部７１に記憶されている。この対応関係情報を登録する対応関係情報テーブルＴＢａは、例えば、図４に示すように、前記欠陥の視認性の程度を表すグレードを登録する視認性程度フィールド７１１と、視認性程度フィールド７１１に登録されたグレードに対応する前記明領域の幅を登録する明領域幅フィールド７１２とを備え、各グレードごと（視認性の各程度ごと）にレコードを持つ。図４に示す例では、前記欠陥の視認性の程度がグレードＩである場合には明領域幅は、５０ｍｍに、前記欠陥の視認性の程度がグレードＩＩである場合には明領域幅は、７０ｍｍに、そして、前記欠陥の視認性の程度がグレードＩＩＩである場合には明領域幅は、９０ｍｍに、それぞれ、対応付けられている。
【００２７】
図１および図２に戻って、制御処理部３は、表面欠陥検査装置Ｄの各部１ａ、２、４〜７を当該各部の機能に応じてそれぞれ制御し、被検査物Ｏｂの被検査面における欠陥を検出するための回路である。制御処理部３は、例えば、ＣＰＵ（Ｃｅｎｔｒａｌ  Ｐｒｏｃｅｓｓｉｎｇ  Ｕｎｉｔ）およびその周辺回路を備えて構成される。制御処理部３は、前記制御処理プログラムが実行されることによって、制御部３１、明領域調整部３２および欠陥検出部３３を機能的に備える。
【００２８】
制御部３１は、表面欠陥検査装置Ｄの各部１ａ、２、４〜７を当該各部の機能に応じてそれぞれ制御し、表面欠陥検査装置Ｄ全体の制御を司るものである。
【００２９】
明領域調整部３２は、予め定義された欠陥の視認性の程度に応じて前記明領域の幅に調整するものである。より具体的には、明領域調整部３２は、記憶部７の対応関係情報記憶部７１に記憶された対応関係情報から、入力部４で受け付けた前記欠陥の視認性の程度（本実施形態ではグレード）に対応する前記明領域の幅を決定し、この決定した前記明領域の幅に調整する。より詳しくは、上述したように、照明部１ａが光源部および明暗領域形成部を備えて構成される場合、明領域調整部３２は、前記欠陥の視認性の程度に応じた明領域の幅となるように、前記明暗領域形成部を制御する。本実施形態では、上述したように、照明部１ａは、例えば高輝度液晶表示装置等の高輝度ディスプレイであり、明領域調整部３２は、前記欠陥の視認性の程度に応じた明領域の幅となるように、前記高輝度ディスプレイを制御する。例えば、照明部１ａが高輝度液晶表示装置である場合では、明領域調整部３２は、前記欠陥の視認性の程度に応じた明領域の幅となるように、前記高輝度液晶表示装置における液晶パネルの各画素を制御する。
【００３０】
欠陥検出部３３は、照明部１ａで照明された被検査物Ｏｂの被検査面を、撮像部２で撮像することによって生成された画像に基づいて欠陥を検出し、この検出した検出結果を記憶部７に記憶し、そして、出力部５に出力するものである。欠陥の検出手法は、公知の手法が用いられて良いが、本実施形態の手法については、後述する。
【００３１】
なお、このような制御処理部３、入力部４、出力部５、ＩＦ部６および記憶部７を備える装置本体ＰＣは、例えば、デスクトップ型やノード型等のコンピュータによって構成可能である。
【００３２】
次に、本実施形態の動作について説明する。図６は、前記表面欠陥検査装置の動作を示すフローチャートである。図７は、図６に示すフローチャートにおける欠陥の検出処理を説明するための図である。図８は、図７に示す欠陥候補の検出処理を説明するための図である。図９は、図７に示す膨張、縮小の処理を説明するための図である。図９Ａは、一例として、膨張処理前の二値化画像Ｉ（ＢＮ）を示し、図９Ｂは、一例として、膨張処理後の二値化画像Ｉ（ＢＮ）を示す。
【００３３】
このような構成の表面欠陥検査装置Ｄは、その電源が投入されると、必要な各部の初期化を実行し、その稼働を始める。その制御処理プログラムの実行によって、制御処理部３には、制御部３１、明領域調整部３２および欠陥検出部３３が機能的に構成される。
【００３４】
そして、被検査物Ｏｂの被検査面における欠陥の検出にあたって、図６において、表面欠陥検査装置Ｄは、まず、制御処理部３の明領域調整部３２によって、出力部５から前記欠陥の視認性の程度（グレードの値）の入力を促すメッセージ（例えば「欠陥のグレードを入力ください。」等）を出力し、入力部４から前記欠陥の視認性の程度（グレードの値）の入力を受け付ける（Ｓ１）。
【００３５】
ユーザ（オペレータ）は、前記メッセージに促されて前記欠陥の視認性の程度（グレードの値）を入力する。
【００３６】
次に、処理Ｓ１で前記欠陥の視認性の程度（グレードの値）の入力を入力部４で受け付けると、表面欠陥検査装置Ｄは、明領域調整部３２によって、この処理Ｓ１で入力された前記欠陥の視認性の程度（グレードの値）に基づいて明領域の幅を決定する（Ｓ２）。より具体的には、明領域調整部３２は、記憶部７の対応関係情報記憶部７１から、処理Ｓ１で入力された前記欠陥の視認性の程度（グレードの値）に対応する明領域の幅を取得する。より詳しくは、明領域調整部３２は、対応関係情報記憶部７１に記憶されている対応関係情報テーブルＴＢａから、その視認性程度フィールド７１１に、処理Ｓ１で入力された前記欠陥の視認性の程度（グレードの値）を登録するレコードを選定（検索）し、この選定したレコードにおける明領域幅フィールド７１２に登録されている明領域の幅を取り出す。
【００３７】
次に、表面欠陥検査装置Ｄは、明領域調整部３２によって、この処理Ｓ２で取得した明領域の幅となるように証明部１ａを調整し、照明する（Ｓ３）。より具体的には、上述したように、照明部１ａが光源部および明暗領域形成部を備えて構成される場合では、明領域調整部３２は、前記処理Ｓ２で取得した明領域の幅となるように、前記明暗領域形成部を制御する。より詳しくは、照明部１ａは、高輝度液晶表示装置であり、明領域調整部３２は、前記処理Ｓ２で取得した明領域の幅となるように、前記高輝度液晶表示装置における液晶パネルの各画素を制御する。これによって、予め定義された欠陥の視認性の程度に応じて明領域の幅が調整され、明領域と暗領域との組を少なくとも１つ形成した照明光が被検査物Ｏｂの被検査面に照射される。一例の具体例では、処理Ｓ１でグレードＩＩＩのように比較的高いグレード値が入力されると、視認性の程度が比較的高いため、明領域調整部３２は、照明部１ａにおける第１および第２照明部１ａ−１、１ａ−２それぞれを、図３Ａに示すように、比較的幅の広い矩形状（帯状、ストライプ状）の第１明領域ＬＡ−１、第１明領域ＬＡ−１の幅より狭い幅を持つ矩形状の暗領域ＤＡ、および、第１明領域ＬＡ−１と同幅を持つ矩形状の第２明領域ＬＡ−２を順次に並置した照明パターンとなるように、制御する。これによって視認性の程度が比較的高い欠陥ＤＥを検知できる比較的広い幅を持つ、好ましくは前記グレードＩＩＩでの最大幅を持つ矩形状の第１および第２明領域ＬＡ−１、ＬＡ−２で被検査物Ｏｂの被検査面が照明できる。また、他の一例の具体例では、処理Ｓ１でグレードＩのように比較的低いグレード値が入力されると、視認性の程度が比較的低いため、明領域調整部３２は、照明部１ａにおける第１および第２照明部１ａ−１、１ａ−２それぞれを、図３Ｂに示すように、比較的幅の狭い矩形状の４個の第１ないし第４明領域ＬＡ−１〜ＬＡ−４、および、これら第１ないし第４明領域ＬＡ−１〜ＬＡ−４と同幅を持つ矩形状の３個の第１ないし第３暗領域ＤＡ−１〜ＤＡ−３を交互に並置した明暗照明パターンとなるように、制御する。これによって視認性の程度が比較的低い欠陥ＤＥを検知できる幅を持つ、好ましくは前記グレードＩでの最大幅を持つ矩形状の第１ないし第４明領域ＬＡ−１、ＬＡ−２、ＬＡ−３、ＬＡ−４で被検査物Ｏｂの被検査面が照明される。このような例では、照明部１ａは、明領域ＬＡと暗領域ＤＡとの組を複数形成して照明光を照射する。これによってより広範囲で被検査面が検査できる。
【００３８】
次に、このように処理Ｓ３で前記欠陥の視認性の程度に応じた明領域の幅を持つ照明光で被検査物Ｏｂの被検査面を照明すると、表面欠陥検査装置Ｄは、制御処理部３の欠陥検出部３３によって、照明部１ａで上述のように照明された被検査物Ｏｂの被検査面を、撮像部２で撮像させ、撮像部２でその画像を生成して取得する（Ｓ４）。
【００３９】
次に、表面欠陥検査装置Ｄは、欠陥検出部３３によって、この撮像部２で生成した画像に基づいて欠陥を検出し、この検出した検出結果を記憶部７に記憶する（Ｓ５）。
【００４０】
欠陥の検出手法は、上述したように、公知の手法が用いられて良いが、本実施形態では、次のような手法で、欠陥が検出されている。
【００４１】
図７において、欠陥検出部３３は、処理Ｓ４で取得された画像Ｉ（Ｏ）に対し、照明光の明領域ＬＡよる画像（明画像）と、前記照明光における暗領域ＤＡによる画像（暗画像）との境界を残しながら、いわゆる画像のごま塩ノイズを消すために、所定の画像フィルタを用いてエッジ保存の平滑化処理を実行する。これによって処理Ｓ４で取得された画像Ｉ（Ｏ）から基準画像Ｉ（Ｂ）が生成される（Ｓ５１）。
【００４２】
次に、欠陥検出部３３は、欠陥を予備検出する欠陥予備検出処理Ｓ５２および予備検出された欠陥から明画像に存在する欠陥を抽出するためのマスクを生成するマスク生成処理Ｓ５３を、互いに並列に、あるいは、欠陥予備検出処理Ｓ５２およびマスク生成処理Ｓ５３の順に順次に、あるいは、マスク生成処理Ｓ５３および欠陥予備検出処理Ｓ５２の順に順次に、実行する。
【００４３】
この欠陥予備検出処理Ｓ５２では、より具体的には、まず、図８に示す曲線αにおける欠陥を示す急峻な落ち込みを検出するために、欠陥検出部３３は、処理Ｓ５１で生成した基準画像Ｉ（Ｂ）に対し、対象画素を移動させながら、例えば当該対象画素を中央に３×３や４×４等の所定の範囲で平均を求めて当該対象画素の画素値とする移動平均処理を実行することによって、前記基準画像Ｉ（Ｂ）からスムージング画像Ｉ（Ｓ）を生成する（Ｓ５２１）。つまり、スムージング画像Ｉ（Ｓ）は、欠陥を示す前記急峻な落ち込みを検出するため、図８に示す曲線αと曲線βの差異を発生させるために作成される。
【００４４】
次に、欠陥検出部３３は、処理Ｓ５２１で生成したスムージング画像Ｉ（Ｓ）と処理Ｓ５１で生成した基準画像Ｉ（Ｂ）との差分を求めることによって、より具体的には処理Ｓ５２１で生成したスムージング画像Ｉ（Ｓ）から処理Ｓ５１で生成した基準画像Ｉ（Ｂ）を減算することによって、差分画像Ｉ（Ｓｕｂ）を生成する（Ｓ５２２）。この処理によって、例えば、図８に示すように、１つのライン（行）において、スムージング画像Ｉ（Ｓ）における各画素の各画素値からなるスムージング画像画素値曲線βと基準画像Ｉ（Ｂ）における各画素の各画素値からなる基準画像画素値曲線αとの差分を求めると、画像上では暗く写る欠陥部分では、その差が大きくなる。
【００４５】
なお、上述では、処理Ｓ５２１で生成したスムージング画像Ｉ（Ｓ）と処理Ｓ５１で生成した基準画像Ｉ（Ｂ）との差分を求めることによって差分画像Ｉ（Ｓｕｂ）が生成されたが、差分画像Ｉ（Ｓｕｂ）に代え、処理Ｓ５２１で生成したスムージング画像Ｉ（Ｓ）と処理Ｓ５１で生成した基準画像Ｉ（Ｂ）との比を求めることによって比画像Ｉ（Ｄｉｖ）が生成されてもよい。
【００４６】
次に、欠陥検出部３３は、処理Ｓ５２２で求めた差分画像Ｉ（Ｓｕｂ）に対し、各画素それぞれについて、予め設定された所定の閾値（第１の二値化閾値）と比較することによって二値化し、これによって欠陥候補を検出し、欠陥候補画像Ｉ（ＲＤ）を生成する（Ｓ５２３）。すなわち、画素値が０から２５５までの８ビットで表現される場合において、当該画素の画素値（処理Ｓ５２２での差分値）が前記第１の二値化閾値未満である場合には、当該画素の画素値が０とされ、当該画素の画素値（処理Ｓ５２２での差分値）が前記第２の二値化閾値以上である場合には、当該画素の画素値が２５５とされる。前記第１の二値化閾値は、複数のサンプルから予め適宜に設定される。
【００４７】
次に、欠陥検出部３３は、処理Ｓ５２３で生成した欠陥候補画像Ｉ（ＲＤ）から、画像上で画素値２５５が小面積で集合する部分をノイズとして消去するために、予め設定された所定の閾値（欠陥検出閾値）以上の面積で集合する部分を欠陥としてラベル（例えばシリアル番号）を付して抽出した欠陥画像Ｉ（Ｄ）を生成する（Ｓ５２４）。前記欠陥検出閾値は、複数のサンプルから予め適宜に設定される。
【００４８】
このように欠陥予備検出処理Ｓ５２が実行される。
【００４９】
一方、マスク生成処理Ｓ５３では、より具体的には、まず、欠陥検出部３３は、明画像および暗画像を抽出するために、処理Ｓ５１で生成した基準画像Ｉ（Ｂ）に対し、各画素それぞれについて、予め設定された所定の閾値（第２の二値化閾値）と比較することによって二値化し、二値化画像Ｉ（ＢＮ）を生成する（Ｓ５３１）。すなわち、画素値が０から２５５までの８ビットで表現される場合において、当該画素の画素値が前記第２の二値化閾値未満である場合には、当該画素の画素値が０とされ、当該画素の画素値が前記第２の二値化閾値以上である場合には、当該画素の画素値が２５５とされる。前記第２の二値化閾値は、複数のサンプルから予め適宜に設定される。
【００５０】
例えば、図９Ａに示すように、処理Ｓ５３１で生成した二値化画像Ｉ（ＢＮ）が所々抜けた画像になるため、次に、欠陥検出部３３は、処理Ｓ５３１で生成した二値化画像Ｉ（ＢＮ）に対し、図９Ｂに示すように、明画像と暗画像との境界における暗画像を明画像側へ膨張してくっつける膨張処理を実行し、膨張した回数だけ縮小して元の大きさに戻し、膨張縮小画像Ｉ（ＥＸ）を生成する（Ｓ５３２）。
【００５１】
明領域と暗領域との境界部分において画像上に出る、いわゆるゆず肌を除去するために、欠陥検出部３３は、膨張縮小画像Ｉ（ＥＸ）に対し、明画像における暗画像との境界を明画像側へ後退させることによって、マスク画像Ｉ（Ｍ）を生成する（Ｓ５３３）。より具体的には、欠陥検出部３３は、明画像と暗画像との境界から、予め設定された画素数だけ、明画像側を削る。すなわち、欠陥検出部３３は、明画像と暗画像との境界から、予め設定された画素数だけ、明画像側の画素を暗画像に変える。
【００５２】
このように欠陥予備検出処理Ｓ５２が実行される。
【００５３】
次に、欠陥検出部３３は、欠陥予備検出処理Ｓ５２における処理Ｓ５２４で生成した欠陥画像Ｉ（Ｄ）と、マスク生成処理Ｓ５３における処理Ｓ５３３で生成したマスク画像Ｉ（Ｍ）とのＡＮＤを演算し、これによってマスク画像Ｉ（Ｍ）における明画像に当たる部分に生じている、欠陥画像Ｉ（Ｄ）の欠陥を、最終的な欠陥として抽出し（Ｓ５４）、本欠陥の検出処理Ｓ５を終了する。
【００５４】
欠陥の検出処理Ｓ５の次に、欠陥検出部３３は、処理Ｓ５で求めた検出結果を出力部５に出力する。なお、必要に応じて、欠陥検出部３３は、処理Ｓ５で求めた検出結果をＩＦ部６から出力しても良い。
【００５５】
次に、欠陥検出部３３は、本処理が終了か否かを判定する（Ｓ７）。この判定の結果、例えばユーザにより入力部４で本処理の終了を受け付けるなどしている場合には、本処理の終了と判定し（Ｙｅｓ）、欠陥検出部３３は、本処理を終了し、一方、本処理の終了ではない場合（Ｎｏ）には、次の検査を実行するために、欠陥検出部３３は、処理を処理Ｓ４に戻す。例えば、前記欠陥の視認性の程度を表すグレード値を変えずに、次の被検査物Ｏｂや被検査物Ｏｂにおける次の被検査面が検査される場合には、被検査物Ｏｂや被検査面が次の被検査物Ｏｂや次の被検査面に変えられて処理が処理Ｓ４に戻され、一方、検査自体が終了される場合や前記欠陥の視認性の程度を表すグレード値を変えて次の被検査物Ｏｂや次の被検査面が検査される場合には、本処理が終了される。
【００５６】
以上説明したように、本実施形態における表面欠陥検査装置Ｄおよびこれに実装された表面欠陥検査方法は、予め定義された欠陥の視認性の程度に応じて明領域ＬＡの幅に調整して被検査物Ｏｂの被検査面に照明光を照射する。したがって、上記表面欠陥検査装置および表面欠陥検査方法は、前記欠陥の視認性の程度に応じて明領域ＬＡの幅を最大化できるので、欠陥検出の精度を少なくとも維持しつつ、効率化を図ることができる。
【００５７】
上記表面欠陥検査装置および表面欠陥検査方法は、対応関係情報記憶部７１に対応関係情報（本実施形態ではテーブル形式の対応関係情報テーブルＴＢａ）を記憶するので、前記対応関係情報を参照することで、前記欠陥の視認性の程度から前記明領域の幅を容易に決定できる。
【００５８】
なお、上述の実施形態では、照明部１ａは、例えば高輝度液晶表示装置等の高輝度ディスプレイを備えて構成されたが、照明部１ａは、これに限定されるものではなく、適宜に、変更できる。
【００５９】
図１０は、前記表面欠陥検査装置における第２態様の照明部およびその照明パターンの一例を説明するための図である。図１０Ａは、第１照明パターンで照明光を放射している照明部１ｂ−１（１ｂ−２）を示し、図１０Ｂは、第２照明パターンで照明光を放射している照明部１ｂ−１（１ｂ−２）を示す。例えば、上述の照明部１ａに換え、図１０に示す第１および第２照明部１ｂ−１、１ｂ−２を備える照明部１ｂが用いられても良い。これら第１および第２照明部１ｂ−１、１ｂ−２それぞれは、図１０に示すように、順次に並置された複数の直状照明ユニット１１を備えて構成される。この図１０に示す例では、複数の直状照明ユニット１１は、８個の第１ないし第８直状照明ユニット１１−１〜１１−８を備えて構成されている。これら第１ないし第８直状照明ユニット１１−１〜１１−８は、それぞれ、例えば直状蛍光灯や直線状に配置された複数の高輝度ＬＥＤ等の、光照射面が細長な矩形状（帯状、ストライプ状）を呈した直状の直状光源部と、前記直状光源部の前方に配置された矩形状の拡散板等を備え、前記直状光源部から前記拡散板を介して照明光を放射する。そして、このような照明部１ｂが用いられる場合では、明領域調整部３２は、前記欠陥の視認性の程度に応じた明領域ＬＡの幅となるように、前記複数の直状照明ユニット１１を点灯する。一例の具体例では、上述の処理Ｓ１でグレードＩＩＩのように比較的高いグレード値が入力されると、視認性の程度が比較的高いため、上述の処理Ｓ２および処理Ｓ３において、明領域調整部３２は、照明部１ｂにおける第１および第２照明部１ｂ−１、１ｂ−２それぞれを、図１０Ａに示すように、比較的幅の広い矩形状の第１明領域ＬＡ−１、第１明領域ＬＡ−１の幅より狭い幅を持つ矩形状の暗領域ＤＡ、および、第１明領域ＬＡ−１と同幅を持つ矩形状の第２明領域ＬＡ−２を順次に並置した照明パターンとなるように、制御する。すなわち、上述の処理Ｓ３において、明領域調整部３２は、第１ないし第３直状照明ユニット１１−１〜１１−３および第６ないし第３直状照明ユニット１１−６〜１１−８を点灯し、第４および第６直状照明ユニット１１−４、１１−５を消灯する。これによって視認性の程度が比較的高い欠陥ＤＥを検知できる比較的広い幅を持つ、好ましくは前記グレードＩＩＩでの最大幅を持つ矩形状の第１および第２明領域ＬＡ−１、ＬＡ−２で被検査物Ｏｂの被検査面が照明できる。また、他の一例の具体例では、処理Ｓ１でグレードＩのように比較的低いグレード値が入力されると、視認性の程度が比較的低いため、上述の処理Ｓ２および処理Ｓ３において、明領域調整部３２は、照明部１ｂにおける第１および第２照明部１ｂ−１、１ｂ−２それぞれを、図１０Ｂに示すように、比較的幅の狭い矩形状の４個の第１ないし第４明領域ＬＡ−１〜ＬＡ−４、および、これら第１ないし第４明領域ＬＡ−１〜ＬＡ−４と同幅を持つ矩形状の４個の第１ないし第４暗領域ＤＡ−１〜ＤＡ−４を交互に並置した明暗照明パターンとなるように、制御する。すなわち、上述の処理Ｓ３において、明領域調整部３２は、第１、第３、第５および第７直状照明ユニット１１−１、１１−３、１１−５、１１−７を点灯し、第２、第４、第６および第８直状照明ユニット１１−２、１１−４、１１−６、１１−８を消灯する。これによって視認性の程度が比較的低い欠陥ＤＥを検知できる幅を持つ、好ましくは前記グレードＩでの最大幅を持つ矩形状の第１ないし第４明領域ＬＡ−１、ＬＡ−２、ＬＡ−３、ＬＡ−４で被検査物Ｏｂの被検査面が照明される。
【００６０】
また、上述の実施形態では、対応関係情報記憶部７１と、明領域の幅を前記欠陥の視認性の程度に対応付けて対応関係情報として記憶したが、対応関係情報記憶部７１は、前記明領域の幅を前記被検査物Ｏｂの種類にさらに対応付けて前記対応関係情報として記憶しても良い。この場合では、入力部４は、被検査物Ｏｂの種類の入力をさらに受け付け、明領域調整部３２は、対応関係情報記憶部７１に記憶された対応関係情報から、入力部４で受け付けた前記欠陥の視認性の程度および被検査物Ｏｂの種類に対応する前記明領域の幅を決定し、この決定した前記明領域の幅に調整する。被検査物Ｏｂの種類によって許容される欠陥の程度が異なる。例えば、上級クラスの車種では、許容されない欠陥でも、低級クラスの車種では、許容される場合が有り得る。上記表面欠陥検査装置および表面欠陥検査方法は、前記明領域の幅を前記欠陥の視認性の程度だけでなく被検査物Ｏｂの種類にも対応付けられているので、前記欠陥の視認性の程度だけでなく被検査物Ｏｂの種類も勘案することによって、前記明領域の幅を決定できる。
【００６１】
図１１は、前記表面欠陥検査装置に記憶される第２態様の対応関係情報テーブルを示す図である。このような被検査物Ｏｂの種類は、例えば被検査物Ｏｂが外装塗装された車両である場合、前記車両のクラス、前記車両の仕向地および前記車両の部位のうちの少なくとも１つで分類されている。例えば、前記被検査物Ｏｂの種類は、前記車両のクラス、前記車両の仕向地および前記車両の部位を含み、対応関係情報記憶部７１は、前記明領域の幅を前記欠陥の視認性の程度、前記車両のクラス、前記車両の仕向地および前記車両の部位に対応付けて対応関係情報として記憶する。このような対応関係情報は、例えば図１１に示すように、テーブル形式で対応関係情報記憶部７１に記憶されている。この図１１に示す対応関係情報テーブルＴＢｂは、上述の、前記欠陥の視認性の程度を表すグレードを登録する視認性程度フィールド７１１、および、前記明領域の幅を登録する明領域幅フィールド７１２を備えるだけでなく、例えばＳクラスやＡクラス等の、前記車両のクラスを登録するクラスフィールド７１３、例えば日本向けや米国向け等の、前記車両の仕向地を登録する仕向地フィールド７１４および例えばドアやボンネットやルーフ等の、前記車両の部位を登録する部位フィールド７１５をさらに備え、前記明領域幅フィールド７１２には、視認性程度フィールド７１１、クラスフィールド７１３、仕向地フィールド７１４および部位フィールド７１５それぞれに登録されたグレード、車両のクラス、車両の仕向地および部位に対応する前記明領域の幅が登録され、グレード、車両のクラス、車両の仕向地および部位の組み合わせごとにレコードを持つ。なお、対応関係情報テーブルＴＢｂは、グレード、車両のクラス、車両の仕向地および部位のすべての組み合わせに対し、各組み合わせごとにレコードを備えても良いが、前記すべての組み合わせの一部の組み合わせに対し、各組み合わせごとにレコードを備えても良い。
【００６２】
このような表面欠陥検査装置Ｄおよび表面欠陥検査方法は、被検査物Ｏｂの種類が前記車両のクラスを含む場合では、前記欠陥の視認性の程度だけでなく前記車両のクラスも勘案することによって、前記明領域の幅を決定でき、被検査物Ｏｂの種類が前記車両の仕向地を含む場合では、前記欠陥の視認性の程度だけでなく前記車両の仕向地も勘案することによって、前記明領域の幅を決定でき、被検査物Ｏｂの種類が前記車両の部位を含む場合では、前記欠陥の視認性の程度だけでなく前記車両の部位も勘案することによって、前記明領域の幅を決定できる。
【００６３】
本明細書は、上記のように様々な態様の技術を開示しているが、そのうち主な技術を以下に纏める。
【００６４】
一態様にかかる表面欠陥検査装置は、被検査物の被検査面に照明光を照射して前記被検査面を撮像した画像に基づいて前記被検査面の欠陥を検出する表面欠陥検査装置であって、明領域と暗領域との組を少なくとも１つ形成して前記照明光を照射する照明部と、予め定義された欠陥の視認性の程度に応じて前記明領域の幅に調整する明領域調整部とを備える。好ましくは、上述の表面欠陥検査装置において、前記照明部は、光を放射する光源部と、明領域と暗領域との組を少なくとも１つ形成して前記光源部から放射された光を前記照明光として照明する明暗領域形成部とを備え、前記明領域調整部は、前記欠陥の視認性の程度に応じた明領域の幅となるように、前記明暗領域形成部を制御する。好ましくは、上述の表面欠陥検査装置において、前記照明部は、例えば高輝度液晶表示装置等の高輝度ディスプレイであり、前記明領域調整部は、前記欠陥の視認性の程度に応じた明領域の幅となるように、前記高輝度ディスプレイを制御する。好ましくは、上述の表面欠陥検査装置において、前記照明部は、順次に並置された複数の直状照明ユニットを備え、前記明領域調整部は、前記欠陥の視認性の程度に応じた明領域の幅となるように、前記複数の直状照明ユニットを点灯する。好ましくは、上述の表面欠陥検査装置において、前記照明部は、明領域と暗領域との組を複数形成して前記照明光を照射する。
【００６５】
このような表面欠陥検査装置は、予め定義された欠陥の視認性の程度に応じて前記明領域の幅に調整して被検査物の被検査面に照明光を照射する。したがって、上記表面欠陥検査装置は、前記欠陥の視認性の程度に応じて明領域の幅を最大化できるので、欠陥検出の精度を少なくとも維持しつつ、効率化を図ることができる。
【００６６】
他の一態様では、上述の表面欠陥検査装置において、前記明領域の幅を前記欠陥の視認性の程度に対応付けて対応関係情報として記憶する対応関係情報記憶部と、前記欠陥の視認性の程度の入力を受け付ける入力部とをさらに備え、前記明領域調整部は、前記対応関係情報記憶部に記憶された前記対応関係情報から、前記入力部で受け付けた前記欠陥の視認性の程度に対応する前記明領域の幅を決定し、前記決定した前記明領域の幅に調整する。
【００６７】
このような表面欠陥検査装置は、前記対応関係情報を記憶するので、前記対応関係情報を参照することで、前記欠陥の視認性の程度から前記明領域の幅を容易に決定できる。
【００６８】
他の一態様では、上述の表面欠陥検査装置において、前記対応関係情報記憶部は、前記明領域の幅を前記被検査物の種類にさらに対応付けて前記対応関係情報として記憶し、前記入力部は、前記被検査物の種類の入力をさらに受け付け、前記明領域調整部は、前記対応関係情報記憶部に記憶された前記対応関係情報から、前記入力部で受け付けた前記欠陥の視認性の程度および前記被検査物の種類に対応する前記明領域の幅を決定し、前記決定した前記明領域の幅に調整する。
【００６９】
被検査物の種類によって許容される欠陥の程度が異なる。例えば、上級クラスの車種では、許容されない欠陥でも、低級クラスの車種では、許容される場合が有り得る。上記表面欠陥検査装置は、前記明領域の幅を前記欠陥の視認性の程度だけでなく前記被検査物の種類にも対応付けられているので、前記欠陥の視認性の程度だけでなく前記被検査物の種類も勘案することによって、前記明領域の幅を決定できる。
【００７０】
他の一態様では、上述の表面欠陥検査装置において、前記被検査物は、外装塗装された車両であり、前記被検査物の種類は、前記車両のクラス、前記車両の仕向地および前記車両の部位のうちの少なくとも１つで分類されている。
【００７１】
このような表面欠陥検査装置は、前記被検査物の種類が前記車両のクラスを含む場合では、前記欠陥の視認性の程度だけでなく前記車両のクラスも勘案することによって、前記明領域の幅を決定でき、前記被検査物の種類が前記車両の仕向地を含む場合では、前記欠陥の視認性の程度だけでなく前記車両の仕向地も勘案することによって、前記明領域の幅を決定でき、前記被検査物の種類が前記車両の部位を含む場合では、前記欠陥の視認性の程度だけでなく前記車両の部位も勘案することによって、前記明領域の幅を決定できる。
【００７２】
他の一態様にかかる表面欠陥検査方法は、被検査物の被検査面に照明光を照射して前記被検査面を撮像した画像に基づいて前記被検査面の欠陥を検出する表面欠陥検査方法であって、予め定義された欠陥の視認性の程度に応じて明領域の幅に調整する明領域調整工程と、前記明領域調整工程で調整された幅の明領域と暗領域との組を少なくとも１つ形成して前記照明光を照射する照明工程とを備える。
【００７３】
このような表面欠陥検査方法は、予め定義された欠陥の視認性の程度に応じて前記明領域の幅に調整して被検査物の被検査面に照明光を照射する。したがって、上記表面欠陥検査方法は、前記欠陥の視認性の程度に応じて明領域の幅を最大化できるので、欠陥検出の精度を少なくとも維持しつつ、効率化を図ることができる。
【００７４】
この出願は、２０１７年５月２９日に出願された日本国特許出願特願２０１７−１０５５１５を基礎とするものであり、その内容は、本願に含まれるものである。
【００７５】
本発明の実施形態が詳細に図示され、かつ、説明されたが、それは単なる図例及び実例であって限定ではない。本発明の範囲は、添付されたクレームの文言によって解釈されるべきである。
【００７６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００７７】
本発明によれば、表面の欠陥を検出する表面欠陥検査装置および表面欠陥検査方法が提供できる。
【図１】
2018221005.tif 000003
【図２】
2018221005.tif 000004
【図３】
2018221005.tif 000005
【図４】
2018221005.tif 000006
【図５】
2018221005.tif 000007
【図６】
2018221005.tif 000008
【図７】
2018221005.tif 000009
【図８】
2018221005.tif 000010
【図９】
2018221005.tif 000011
【図１０】
2018221005.tif 000012
【図１１】
2018221005.tif 000013
【国際調査報告】
2018221005.tif 000014
2018221005.tif 000015
2018221005.tif 000016
2018221005.tif 000017